(57)【要約】  連続液相、及び懸濁固体粒子を含む不連続固相を含むコロイド状洗剤組成物であって、洗剤組成物が、１５重量％未満の水を含み、液相に存在するコロイド状洗剤組成物の総イオン強度（ＴＩＳｌ／ｃ）が、４３００ｍｍｏｌ／ｋｇ未満であり、固相に存在するコロイド状洗剤組成物の総イオン強度（ＴＩＳｓ／ｃ）が、１００ｍｍｏｌ／ｋｇ超であり、比ＴＩＳｓ／ｃ／ＴＩＳｌ／ｃが、０．０２５を上回る、コロイド状洗剤組成物。【特許請求の範囲】
【請求項１】
連続液相、及び懸濁固体粒子を含む不連続固相を含むコロイド状洗剤組成物であって、前記洗剤組成物が、１５重量％未満の水を含み、前記液相に存在する前記コロイド状洗剤組成物の総イオン強度（ＴＩＳｌ／ｃ）が、４３００ｍｍｏｌ／ｋｇ未満であり、前記固相に存在する前記コロイド状洗剤組成物の総イオン強度（ＴＩＳｓ／ｃ）が、１００ｍｍｏｌ／ｋｇ超であり、比ＴＩＳｓ／ｃ／ＴＩＳｌ／ｃが、０．０２５を上回る、コロイド状洗剤組成物。
【請求項２】
１２重量％未満の水、例えば、１０重量％未満、又は７重量％未満、又は５重量％、又は更には４重量％未満の水を含む、請求項１に記載のコロイド状洗剤組成物。
【請求項３】
前記液相に存在する前記コロイド状洗剤組成物の総イオン強度（ＴＩＳｌ／ｃ）が、４０００ｍｍｏｌ／ｋｇ未満である、請求項１又は２に記載のコロイド状洗剤組成物。
【請求項４】
前記固相に存在する前記コロイド状洗剤組成物の総イオン強度（ＴＩＳｓ／ｃ）が、２５０ｍｍｏｌ／ｋｇ超である、請求項１〜３のいずれか一項に記載のコロイド状洗剤組成物。
【請求項５】
前記比ＴＩＳｓ／ｃ／ＴＩＳｌ／ｃが、０．０７５を上回る、請求項１〜４のいずれか一項に記載のコロイド状洗剤組成物。
【請求項６】
４重量％〜１５重量％の固相を含む、請求項１〜５のいずれか一項に記載のコロイド状洗剤組成物。
【請求項７】
８５重量％〜９６重量％の液相を含む、請求項１〜６のいずれか一項に記載のコロイド状洗剤組成物。
【請求項８】
前記固相の総イオン強度（ＴＩＳｓｏｌ）が、前記固相１ｋｇあたり少なくとも４５００ｍｍｏｌである、請求項１〜７のいずれか一項に記載のコロイド状洗剤組成物。
【請求項９】
前記液相の総イオン強度（ＴＩＳｌｉｑ）が、前記液相１ｋｇあたり最大で４５００ｍｍｏｌである、請求項１〜８のいずれか一項に記載のコロイド状洗剤組成物。
【請求項１０】
前記比ＴＩＳｌｉｑ／ＴＩＳｓｏｌが、２．５未満、又は更には１未満である、請求項１〜９のいずれか一項に記載のコロイド状洗剤組成物。
【発明の詳細な説明】
【技術分野】
【０００１】
本発明は、液相、及び低レベルの水を含む、洗剤組成物に関する。
【背景技術】
【０００２】
典型的に、液相を含む洗剤組成物における水の量は、かなり高く、例えば、５０％超、又は更には８０％超の水である。
【０００３】
しかしながら、かかるレベルの水は、輸送されることを必要とする製品のレベルを増加させるため、常に望ましいわけではない。これは、より高い財務及び環境コストにつながる。このため、コンパクト化された処方及びより低いレベルの水を含む洗剤組成物に対する必要性が存在する。
【０００４】
また、高いレベルの水は、感水性材料の洗剤組成物への組み込みを阻止する。
【０００５】
しかしながら、本発明者らは、特定のレベルの水より下では、洗剤組成物のレオロジー的特性が影響される場合があり、かつ粘度が許容可能ではない場合があるということに気が付いた。
【０００６】
本発明者らは、上述の問題が、イオン強度を有する化合物の一部が固相に組み込まれる、本発明に従うコロイド状組成物の使用によって軽減され得るということを見出した。
【０００７】
理論に束縛されるものではないが、本発明者らは、イオン強度を有する化合物を、液相から固相に移動させることが、液相のイオン強度を低減し、これは同様に、その粘度を低減し、組成物の物理的特性を依然として許容可能なままに保持しつつ、より低いレベルの水を達成することを可能にすると考える。
【発明の概要】
【課題を解決するための手段】
【０００８】
本発明は、連続液相、及び懸濁固体粒子を含む不連続固相を含むコロイド状洗剤組成物であって、洗剤組成物が、１５重量％未満の水を含み、液相に存在するコロイド状洗剤組成物の総イオン強度（ＴＩＳｌ／ｃ）が、４３００ｍｍｏｌ／ｋｇ未満であり、固相に存在するコロイド状洗剤組成物の総イオン強度（ＴＩＳｓ／ｃ）が、１００ｍｍｏｌ／ｋｇ超であり、比ＴＩＳｓ／ｃ／ＴＩＳｌ／ｃが、０．０２５を上回る、コロイド状洗剤組成物に関する。
【発明を実施するための形態】
【０００９】
本発明の洗剤組成物は、連続液相及び不連続固相を含むコロイド状組成物である。
【００１０】
コロイド状組成物は、エマルション、及びこのため連続液相に加えて、１つ以上の追加の液相（複数を含む）を含む液相を含んでもよい。
【００１１】
コロイド状洗剤組成物は、１５％未満の水を含み、１２重量％未満の水、例えば、１０重量％未満、又は７重量％未満、又は５重量％、又は更には４重量％未満の水を含んでもよい。コロイド状洗剤組成物は、１％超又は２％超の水を含んでもよい。本組成物は、好ましくは、１０重量％未満、又は５重量％未満、又は４重量％未満、又は３重量％未満の遊離水を含む。遊離水は、典型的に、カール・フィッシャー滴定を使用して測定され、２ｇのコロイド状洗剤組成物を、室温で２０分間５０ｍＬの無水メタノールに抽出し、カール・フィッシャー滴定によって、１ｍＬのメタノールを分析する。
【００１２】
総イオン強度（ＴＩＳ）
液相の総イオン強度（ＴＩＳｌｉｑ）は、１ｋｇの液相あたりの各イオン上の電荷によって乗算される、液相に存在する全てのイオンのｍｍｏｌｅ数の合計（電荷のｍｍｏｌｅ／１ｋｇの液相）として定義される。
【００１３】
例えば、１ミリモルのギ酸カルシウムの溶液は、４ミリモル［（１ミリモルのＣａ＊２＋電荷）＋（２ミリモルのギ酸塩＊１−電荷）］＝４の総イオン強度を有する。
【００１４】
本発明のコロイド状組成物において、液相の総イオン強度（ＴＩＳｌｉｑ）は、好ましくは、液相１ｋｇあたり最大で４５００ｍｍｏｌであり、典型的に、１０００ｍｍｏｌ／ｋｇ〜４４００ｍｍｏｌ／ｋｇ、又は２０００ｍｍｏｌ／ｋｇ〜４３００ｍｍｏｌ／ｋｇ、又は３０００ｍｍｏｌ／ｋｇ〜４２００ｍｍｏｌ／ｋｇからなる。
【００１５】
同様に、固相に対する総イオン強度（ＴＩＳｓｏｌ）は、電荷のｍｍｏｌｅ／１ｋｇの固相の積として同様に計算することができる。
【００１６】
このため、ペンタ−酸形態のＤＴＰＡは、２５．４モル／ｋｇ［（１モル／３９３グラム×１０００グラム）×（５カルボン酸アニオン＋５酸プロトン）］の総イオン強度（ＴＩＳ）を有する。
【００１７】
本発明のコロイド状組成物において、固相の総イオン強度は、好ましくは、固相１ｋｇあたり少なくとも２５００ｍｍｏｌであり、典型的に、３５００ｍｍｏｌ／ｋｇ〜１００００ｍｍｏｌ／ｋｇ、又は４０００ｍｍｏｌ／ｋｇ〜８０００ｍｍｏｌ／ｋｇ、又は少なくとも４５００ｍｍｏｌ／ｋｇ、又は少なくとも５０００ｍｍｏｌ／ｋｇからなる。
【００１８】
比ＴＩＳｌｉｑ／ＴＩＳｓｏｌは、好ましくは、２．５未満、又は２．０未満であり、０．５〜１．５、又は０．７５〜１．２、又は０．８〜０．９９であってもよい。
【００１９】
液相に存在するコロイド状組成物の総イオン強度（ＴＩＳｌ／ｃ）は、液相の総イオン強度＊コロイド状組成物における液相の重量分画に対応する。
【００２０】
コロイド状洗剤組成物は、典型的に、８５重量％〜９６重量％の液相を含む。そのため、コロイド状組成物における液相の重量分画は、典型的に、０．８５〜０．９６である。
【００２１】
コロイド状洗剤組成物は、９０重量％〜９５重量％、又は９２重量％〜９４重量％の液相を含んでもよい。
【００２２】
コロイド状洗剤組成物のＴＩＳｌ／ｃは、４５００ｍｍｏｌ／ｋｇ未満、若しくは４２００ｍｍｏｌ／ｋｇ未満であってもよく、又は、２０００ｍｍｏｌ／ｋｇ〜４０００ｍｍｏｌ／ｋｇ、若しくは３０００ｍｍｏｌ／ｋｇ〜３９００ｍｍｏｌ／ｋｇからなってもよい。
【００２３】
固相に存在するコロイド状組成物の総イオン強度（ＴＩＳｓ／ｃ）は、固相の総イオン強度＊コロイド状組成物における固相の重量分画に対応する。
【００２４】
コロイド状洗剤組成物は、典型的に、４重量％〜１５重量％の固相を含む。そのため、コロイド状組成物における液相の重量分画は、典型的に、０．０４〜０．１５である。
【００２５】
コロイド状洗剤組成物は、５重量％〜１０重量％、又は６重量％〜８重量％の固相を含んでもよい。
【００２６】
コロイド状洗剤組成物のＴＩＳｓ／ｃは、１００ｍｍｏｌ／ｋｇ超であり、典型的に、２００ｍｍｏｌ／ｋｇ超であるか、又は２５０ｍｍｏｌ／ｋｇ〜５００ｍｍｏｌ／ｋｇ、又は３００ｍｍｏｌ／ｋｇ〜４００ｍｍｏｌ／ｋｇからなる。
【００２７】
比ＴＩＳｓ／ｃ／ＴＩＳｌ／ｃは、０．０２５を上回る、又は０．０５を上回る、又は０．０７５〜０．１からなってもよい。
【００２８】
コロイド状洗剤組成物の総イオン強度は、ＴＩＳｓ／ｃ＋ＴＩＳｌ／ｃに等しい。
【００２９】
コロイド状洗剤組成物の総イオン強度は、２０００ｍｍｏｌ／ｋｇ〜１００００ｍｍｏｌ／ｋｇ、又は３５００ｍｍｏｌ／ｋｇ〜８０００ｍｍｏｌ／ｋｇ、又は更には４０００ｍｍｏｌ／ｋｇ〜６０００ｍｍｏｌ／ｋｇであってもよい。
【００３０】
コロイド状組成物
コロイド状洗剤組成物は、好ましくは、単一区画容器における使用に好適である非単位用量コロイド状洗剤組成物である。本組成物は、好ましくは、洗濯組成物である。本組成物は、連続液相、最も好ましくは、連続液相に懸濁される不連続の微粒子固相を含む単一の連続液相を含む。本組成物は、典型的に、２つ以上の連続液相を含まない。本組成物は、典型的に、多区画パウチの一部ではない。並びに、本組成物は、典型的に、多区画容器から分注されない。
【００３１】
本組成物は、典型的に、完全に完成した洗濯洗剤組成物である。本組成物は、典型的に、洗濯洗剤組成物に組み込むことができる洗濯洗剤組成物のただの一成分ではない。とは言え、追加のすすぎ添加剤組成物（例えば、仕上げ剤若しくは促進剤）、又は主要洗浄添加剤組成物（例えば、漂白添加剤）を、本発明の組成物を使用するプロセスの間に、液体洗濯洗剤組成物と組み合わせて使用することもまた、本発明の範囲内である。
【００３２】
懸濁固体粒子の重量平均粒径は、例えば、少なくとも１マイクロメートルである。少なくとも９５重量％の懸濁固体粒子が、０．１マイクロメートル〜５００マイクロメートルの範囲の粒径を有してもよい。懸濁固体粒子の密度は、５００ｇ／Ｌ未満であってもよい。連続液相の動的粘度は、１００ｍＰａｓ〜５００ｍＰａｓの範囲であってもよい。
【００３３】
連続液相及び懸濁固相は、以下でより詳細に説明する。好ましくは、（ｉ）懸濁固体粒子の密度の、（ｉｉ）連続液相の密度に対する比は、０．５：１〜２：１、好ましくは、０．６：１〜、又は０．７：１〜、又は０．８：１〜、又は更には０．９：１〜、及び好ましくは、〜１．９：１、又は〜１．８：１、又は〜１．７：１、又は〜１．６：１、又は〜１．５：１、又は〜１．４：１、又は〜１．３：１、又は〜１．２：１、又は更には〜１．１：１の範囲である。
【００３４】
懸濁固体粒子は、酵素を含んでもよい。酵素としては、プロテアーゼ、アミラーゼ、リパーゼ、及び／又はセルラーゼが挙げられ得る。
【００３５】
懸濁粒子は、好ましくは、キレート化剤を含む。例えば、キレート化剤は、懸濁粒子の重量あたり、少なくとも１％、又は少なくとも２．５％、又は５〜１５％に相当する。キレート化剤は、ＤＴＰＡ又はＴｉｒｏｎとすることができる。
【００３６】
懸濁粒子は、染料及び／又は光沢剤を含んでもよい。
【００３７】
懸濁粒子は、好ましくは、リン酸の粒子の重量で１５％未満、好ましくは、リン酸の粒子の重量あたり５％未満、又は０〜１％をなす。
【００３８】
懸濁粒子は、好ましくは、ホウ酸塩の粒子の重量で１５％未満、好ましくは、ホウ酸塩の粒子の重量あたり５％未満、又は０〜１％をなす。
【００３９】
液相は、粘稠液体又は更にはゲルといった、任意の好適な液体形態とすることができる。好ましくは、連続液相は、ゲルの形態である。典型的に、連続液相は、典型的に、洗浄浴に分注される前にそれが格納される、単一区画容器から注入可能である。
【００４０】
連続液相が、洗浄性界面活性剤、任意にポリマー、及び任意に酵素を含むことが好ましい場合がある。
【００４１】
コロイド状洗剤組成物は、液相において、及び／又は固相において、以下の成分のうちのいずれかを含んでもよい。
【００４２】
洗浄性界面活性剤。洗浄性界面活性剤は、典型的に、アニオン性洗浄性界面活性剤及び／又は非イオン性界面活性剤を含む。好ましくは、アニオン性洗浄性界面活性剤の、非イオン性洗浄性界面活性剤に対する重量比は、１：１超、好ましくは、１．５：１超、又は更には２：１超、又は更には２．５：１超、又は３：１超である。
【００４３】
好ましくは、アニオン性界面活性剤は、アルキルアミン対イオン対イオンによって中和される。本発明者らは、アルキルアミン対イオン対イオンの存在が、組成物のレオロジーを許容可能なままに保持しつつ、組成物における水のレベルを更に低減することを可能にしていたことを見出した。
【００４４】
アルキルアミン対イオン対イオンの重量濃度の、コロイド状洗剤組成物の液相の対イオンの総濃度に対する比は、０．０２〜０．５、又は好ましくは、０．０５〜０．２をなしてもよい。
【００４５】
本組成物は好ましくは洗浄性界面活性剤を含み、好ましくは１０重量％〜４０重量％、好ましくは１２重量％、又は１５重量％、又は更には１８重量％の洗浄性界面活性剤を含む。好ましくは、界面活性剤は、アルキルベンゼンスルホネート及び１種以上の洗浄補助界面活性剤を含む。界面活性剤は、好ましくは、Ｃ１０〜Ｃ１３アルキルベンゼンスルホネート及び１種以上の補助界面活性剤を含む。補助界面活性剤は、好ましくは１〜７の平均エトキシル化度を有するＣ１２〜Ｃ１８アルキルエトキシル化アルコール；好ましくは１〜５の平均エトキシル化度を有するＣ１２〜Ｃ１８アルキルエトキシル化サルフェート；及びこれらの混合物からなる群から好ましくは選択される。しかしながら、その他の界面活性剤系が、本発明の使用に好適であってよい。
【００４６】
好適な洗浄性界面活性剤としては、アニオン性洗浄性界面活性剤、非イオン性洗浄性界面活性剤、カチオン性洗浄性界面活性剤、双極性イオンの洗浄性界面活性剤、両性洗浄性界面活性剤、及びこれらの混合物が挙げられる。
【００４７】
好適なアニオン性洗浄性界面活性剤としては、アルキルサルフェート；アルキルスルホネート；アルキルホスフェート；アルキルホスホネート；アルキルカルボキシレート；及びこれらの混合物が挙げられる。アニオン性界面活性剤は、Ｃ１０〜Ｃ１８アルキルベンゼンスルホネート（ＬＡＳ）、好ましくはＣ１０〜Ｃ１３アルキルベンゼンスルホネート；典型的に次の式を有する、Ｃ１０〜Ｃ２０一級、分岐、直鎖及びランダム鎖アルキルサルフェート（ＡＳ）：
ＣＨ３（ＣＨ２）ｘＣＨ２−ＯＳＯ３−Ｍ+
（式中、Ｍは、水素又は電気的中性を提供するカチオンであり、好ましいカチオンとしては、ナトリウム及びアンモニウムカチオン、特に、ＭＥＡが挙げられ、式中、ｘは、少なくとも７、好ましくは少なくとも９の整数である）；典型的に次の式を有する、Ｃ１０〜Ｃ１８二級（２，３）アルキルサルフェート：
【化１】
2013523998.tif 000002
（式中、Ｍは、水素又は電気的中性を提供するカチオンであり、好ましいカチオンとしては、ナトリウム及びアンモニウムカチオン、特にＭＥＡが挙げられ、式中、ｘは、少なくとも７、好ましくは少なくとも９の整数であり、ｙは、少なくとも８、好ましくは少なくとも９の整数である）；米国特許第６，０２０，３０３号及び同第６，０６０，４４３号により詳細に記載されているようなＣ１０〜Ｃ１８アルキルアルコキシカルボン酸塩、中鎖分岐アルキルサルフェート；国際公開特許第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号、及び同第００／２３５４８号により詳細に記載されているような変性アルキルベンゼンサルフェート（ＭＬＡＳ）；メチルエステルスルホネート（ＭＥＳ）；アルファ−オレフィンスルホネート（ＡＯＳ）及びこれらの混合物からなる群から選択され得る。
【００４８】
好ましいアニオン性洗浄性界面活性剤としては、直鎖又は分岐鎖、置換又は非置換アルキルベンゼンスルホネート洗浄性界面活性剤、好ましくは直鎖Ｃ８〜Ｃ１８アルキルベンゼンスルホネート洗浄性界面活性剤；直鎖又は分岐鎖、置換又は非置換アルキルベンゼンサルフェート洗浄性界面活性剤；直鎖又は分岐鎖、置換又は非置換アルキルサルフェート洗浄性界面活性剤（直鎖Ｃ８〜Ｃ１８アルキルサルフェート洗浄性界面活性剤、Ｃ１〜Ｃ３アルキル分岐Ｃ８〜Ｃ１８アルキルサルフェート洗浄性界面活性剤、直鎖又は分岐鎖アルコキシル化Ｃ８〜Ｃ１８アルキルサルフェート洗浄性界面活性剤及びそれらの混合物を含む）；直鎖又は分岐鎖、置換又は非置換アルキルスルホネート洗浄性界面活性剤；並びにこれらの混合物が挙げられる。
【００４９】
好ましいアルコキシル化アルキルサルフェート洗浄性界面活性剤は、平均アルコキシル化度が１〜３０、好ましくは１〜１０の、直鎖又は分岐鎖、置換又は非置換Ｃ８〜１８アルキルアルコキシル化サルフェート洗浄性界面活性剤である。好ましくは、アルコキシル化アルキルサルフェート洗浄性界面活性剤は、平均エトキシル化度が１〜１０の、直鎖又は分枝鎖、置換又は非置換Ｃ８〜１８アルキルエトキシル化サルフェートである。最も好ましくは、アルコキシル化アルキルサルフェート洗浄性界面活性剤は、平均エトキシル化度が３〜７の、直鎖、非置換Ｃ８〜１８アルキルエトキシル化サルフェートである。
【００５０】
好ましいアニオン性洗浄性界面活性剤は、直鎖又は分枝鎖、置換又は非置換Ｃ１２〜１８アルキルサルフェート；直鎖又は分枝鎖、置換又は非置換Ｃ１０〜１３アルキルベンゼンスルホネート、好ましくは直鎖Ｃ１０〜１３アルキルベンゼンスルホネート；及びこれらの混合物からなる群から選択される。極めて好ましいのは、直鎖Ｃ１０〜１３アルキルベンゼンスルホネートである。極めて好ましいのは、市販の直鎖アルキルベンゼン（ＬＡＢ）をスルホン化することによって得ることができ、好ましくはそのようにして得た、直鎖Ｃ１０〜１３アルキルベンゼンスルホネートであり、好適なＬＡＢとしては、Ｓａｓｏｌより商品名Ｉｓｏｃｈｅｍ（登録商標）で供給されているもの、又はＰｅｔｒｅｓａより商品名Ｐｅｔｒｅｌａｂ（登録商標）で供給されているものなどの、低２−フェニルＬＡＢが挙げられ、他の好適なＬＡＢとしては、Ｓａｓｏｌより商品名Ｈｙｂｌｅｎｅ（登録商標）で供給されているものなどの、高２−フェニルＬＡＢが挙げられる。好適なアニオン性洗浄性界面活性剤は、ＤＥＴＡＬ触媒プロセスによって得られるアルキルベンゼンスルホネートであるが、ＨＦなどの他の合成経路もまた好適な場合がある。
【００５１】
別の好適なアニオン性洗浄性界面活性剤は、アルキルエトキシカルボキシレートである。アニオン性洗浄性界面活性剤は、典型的にはその塩形態で存在し、典型的には好適なカチオンと錯体化している。好適な対イオンとしては、Ｎａ＋及びＫ＋、Ｃ１〜Ｃ６アルカノールアンモニウムなどの置換アンモニウム、好ましくはモノエタノールアミン（ＭＥＡ）、トリエタノールアミン（ＴＥＡ）、ジエタノールアミン（ＤＥＡ）、及びこれらの任意の組み合わせが挙げられる。
【００５２】
好適なカチオン性洗浄性界面活性剤としては、アルキルピリジニウム化合物；アルキル四級アンモニウム化合物；アルキル四級ホスホニウム化合物；アルキル３元スルホニウム化合物；並びにこれらの混合物が挙げられる。カチオン性洗浄性界面活性剤は、米国特許６，１３６，７６９号により詳細に記載されているようなアルコキシレート四級アンモニウム（ＡＱＡ）界面活性剤、米国特許６，００４，９２２号により詳細に記載されているようなジメチルヒドロキシエチル四級アンモニウム、国際公開特許第９８／３５００２号、同第９８／３５００３号、同第９８／３５００４号、同第９８／３５００５号、及び同第９８／３５００６号により詳細に記載されているようなポリアミンカチオン性界面活性剤、米国特許第４，２２８，０４２号、同第４，２３９，６６０号、同第４，２６０，５２９号、及び同第６，０２２，８４４号により詳細に記載されているようなカチオン性エステル界面活性剤、米国特許第６，２２１，８２５号及び国際公開特許第００／４７７０８号により詳細に記載されているようなアミノ界面活性剤、特にアミドプロピルジメチルアミン及びその混合物からなる群から選択され得る。好適なカチオン性洗浄性界面活性剤は、次の一般式を有する四級アンモニウム化合物である：
（Ｒ）（Ｒ１）（Ｒ２）（Ｒ３）Ｎ＋Ｘ−
式中、Ｒは直鎖又は分岐鎖、置換又は非置換Ｃ６〜１８アルキル又はアルケニル部分であり、Ｒ１及びＲ２は、独立して、メチル又はエチル部分から選択され、Ｒ３は、ヒドロキシル、ヒドロキシメチル又はヒドロキシエチル部分であり、Ｘは、電気的中性を提供するアニオンであり、好適なアニオンには、ハロゲン化物（塩化物等）、サルフェート及びスルホネートが挙げられる。好ましいカチオン性洗浄性界面活性剤は、モノ−Ｃ６〜１８アルキルモノヒドロキシエチルジメチル四級アンモニウムクロライドである。極めて好ましいカチオン性洗浄性界面活性剤は、モノ−Ｃ８〜１０アルキルモノヒドロキシエチルジメチル四級アンモニウムクロライド、モノ−Ｃ１０〜１２アルキルモノヒドロキシエチルジメチル四級アンモニウムクロライド、及びモノ−Ｃ１０アルキルモノヒドロキシエチルジメチル四級アンモニウムクロライドである。
【００５３】
好適な非イオン性洗浄性界面活性剤は、Ｃ８〜Ｃ１８アルキルエトキシレート、例えば、ＳｈｅｌｌからのＮＥＯＤＯＬ（登録商標）非イオン性界面活性剤；Ｃ６〜Ｃ１２アルキルフェノールアルコキシラートであって、ここで、アルコキシラート単位が、エチレンオキシ単位、プロピレンオキシ単位、又はこれらの混合物であるもの；エチレンオキシド／プロピレンオキシドブロックポリマーとの、Ｃ１２〜Ｃ１８アルコール縮合物及びＣ６〜Ｃ１２アルキルフェノール縮合物、例えば、ＢＡＳＦ社製Ｐｌｕｒｏｎｉｃ（登録商標）；米国特許第６，１５０，３２２号においてより詳細に記載されているＣ１４〜Ｃ２２中鎖分枝アルコール、ＢＡ；米国特許第６，１５３，５７７号、同第６，０２０，３０３号及び同第６，０９３，８５６号においてより詳細に記載されているＣ１４〜Ｃ２２中鎖分枝アルキルアルコキシラート、ＢＡＥｘ、ここで、ｘ＝１〜３０；米国特許第４，５６５，６４７号においてより詳細に記載されているアルキル多糖、特に、米国特許第４，４８３，７８０号及び同第４，４８３，７７９号においてより詳細に記載されているアルキルポリグリコシド；米国特許第５，３３２，５２８号、国際公開特許第９２／０６１６２号、同第９３／１９１４６号、同第９３／１９０３８号、及び同第９４／０９０９９号においてより詳細に記載されているポリヒドロキシ脂肪酸アミド；米国特許第６，４８２，９９４号及び国際公開特許第０１／４２４０８号においてより詳細に記載されているエーテルで末端保護されたポリ（オキシアルキル化）アルコール界面活性剤；並びにこれらの混合物からなる群から選択され得る。
【００５４】
非イオン性洗浄性界面活性剤は、アルキルポリグルコシド及び／又はアルキルアルコキシル化アルコールであり得る。好ましくは、非イオン性洗浄性界面活性剤は、平均エトキシル化度が１〜１０、より好ましくは３〜７の、直鎖又は分枝鎖、置換又は非置換Ｃ８〜１８アルキルエトキシ化アルコールである。
【００５５】
好適な双極性イオン及び／又は両性洗浄性界面活性剤としては、アルカノールアミンスルホベタインが挙げられる。
【００５６】
本組成物が分枝状アニオン性洗浄性界面活性剤及び／又は分枝状非イオン性洗浄性界面活性剤を含むことが好ましいものであり得る。好ましくは、分枝状アニオン性洗浄性界面活性剤及び／又は分枝状非イオン性洗浄性界面活性剤は天然源に由来し、好ましくは、天然源は生体由来イソプレノイドを含み、最も好ましくはファルネセンである。
【００５７】
クエン酸。好ましくは、本組成物は、５％未満のクエン酸、好ましくは、０％〜２％、又は０％〜１％のクエン酸を含む。
【００５８】
漂白剤。本組成物は、典型的に、漂白剤を含む。好ましい漂白剤は、漂白活性化剤及び／又は漂白触媒と組み合わせて、有効酸素源を含む。
【００５９】
有効酸素源。好ましい有効酸素源は、過酸化水素源であり、好ましくは、モノ水和物若しくはテトラ水和物形態又はこれらの混合物の過ホウ酸ナトリウム、及び／又は過炭酸ナトリウムが挙げられる。過炭酸ナトリウムが、特に好ましい。過炭酸ナトリウムは、コーティングされた過炭酸塩の粒子の形態とすることができ、この粒子は、洗濯洗剤組成物の他の粒子から、特にいずれの漂白活性化剤又は漂白成分からも、物理的に分離して離散する粒子である。
【００６０】
あるいは、この過炭酸塩は、テトラ−エチレンジアミン（ＴＡＥＤ）などの漂白活性化剤及び漂白成分を追加的に含む、共粒子（co-particle）の形態とすることができる。極めて好ましくは、共粒子の形態を使用する場合、漂白活性化剤は、少なくとも部分的に、好ましくは完全に、過酸化水素源を包囲する。
【００６１】
別の好適な有効酸素源は、以下で詳細に説明されるものといった、事前形成された過酸である。
【００６２】
事前形成された過酸。本組成物は、好ましくは、事前形成された過酸又はその塩を含む。事前形成されたペルオキシ酸又はその塩は、典型的に、ペルオキシカルボン酸若しくはその塩、又はペルオキシスルホン酸若しくはその塩のいずれかである。事前形成されたペルオキシ酸又はその塩は、好ましくは、ペルオキシカルボン酸又ははその塩であり、典型的に、以下の化学式に対応する化学構造を有する：
【化２】
2013523998.tif 000003
式中、Ｒ１４は、アルキル、アラルキル、シクロアルキル、アリール、又は複素環基から選択され、Ｒ１４基は、直鎖又は分枝鎖、置換又は非置換であることができ、Ｙは、電気的中性を達成する任意の好適な対イオンであり、好ましくは、Ｙは、水素、ナトリウム、又はカリウムから選択される。好ましくは、Ｒ１４は、直鎖又は分枝鎖、置換又は非置換Ｃ６〜９アルキルである。好ましくは、ペルオキシ酸又はその塩は、ペルオキシヘキサン酸、ペルオキシヘプタン酸、ペルオキシオクタン酸、ペルオキシノナン酸、ペルオキシデカン酸、任意のその塩、又は任意のこれらの組み合わせから選択される。好ましくは、ペルオキシ酸又はその塩は、３０℃〜６０℃の範囲の融点を有する。
【００６３】
事前形成されたペルオキシ酸又はその塩はまた、ペルオキシスルホン酸又はその塩とすることができ、典型的に、以下の化学式に対応する化学構造を有する：
【化３】
2013523998.tif 000004
式中、Ｒ１５は、アルキル、アラルキル、シクロアルキル、アリール、又は複素環基から選択され、Ｒ１５基は、直鎖又は分枝鎖、置換又は非置換であることができ、Ｚは、電気的中性を達成する任意の好適な対イオンであり、好ましくは、Ｚは、水素、ナトリウム、又はカリウムから選択される。好ましくは、Ｒ１５は、直鎖又は分枝鎖、置換又は非置換Ｃ６〜９アルキルである。
【００６４】
事前形成されたペルオキシ酸又はその塩は、カプセル化された、好ましくは、分子的にカプセル化された形態であってもよい。典型的に、事前形成されたペルオキシ酸分子は、任意の好適な分子カプセル化手段によって、互いから個々に分離される。
【００６５】
極めて好ましい事前形成された過酸は、Ｎ，Ｎ−フタルイミドペルオキシカプロン酸である。
【００６６】
漂白活性化剤。好ましくは、本組成物は、漂白活性化剤を含む。好適な漂白活性化剤は、過酸化水素源と併せて使用するとき、漂白剤活性化剤に相当する過酸のその場での生成を導く化合物である。漂白活性化剤の様々な非限定例は、米国特許第４，９１５，８５４号（１９９０年４月１０日発行、Ｍａｏら）及び同第４，４１２，９３４号に開示されている。ノナノイルオキシベンゼンスルホネート（ＮＯＢＳ）及びテトラアセチルエチレンジアミン（ＴＡＥＤ）活性化剤は、典型的であり、これらの混合物もまた使用することができる。本明細書で有用な他の典型的な漂白剤及び活性化剤については、米国特許第４，６３４，５５１号も参照されたい。別の好適な漂白活性化剤は、デカノイルオキシベンゼンカルボン酸（ＤＯＢＡ）である。
【００６７】
極めて好ましいアミドから誘導された漂白活性化剤は、次式のものである：
Ｒ１Ｎ（Ｒ５）Ｃ（Ｏ）Ｒ２Ｃ（Ｏ）Ｌ又はＲ１Ｃ（Ｏ）Ｎ（Ｒ５）Ｒ２Ｃ（Ｏ）Ｌ
式中、これらの化合物について使用されているように、Ｒ１は、約６〜約１２個の炭素原子を含有するアルキル基であり、Ｒ２は、１〜約６個の炭素原子を含有するアルキレンであり、Ｒ５は、Ｈ、又は、約１〜約１０個の炭素原子を含有するアルキル、アリール又はアルカリルであり、Ｌは任意の好適な脱離基である。脱離基は、ヒドロペルオキシドアニオンによる漂白活性化剤への求核攻撃の結果として漂白活性化剤から脱離する任意の基である。好ましい脱離基は、オキシベンゼンスルホネートである。
【００６８】
上式の漂白活性化剤の好ましい例としては、米国特許第４，６３４，５５１号に記載されているように、（６−オクタンアミド−カプロイル）オキシベンゼンスルホネート、（６−ノナンアミドカプロイル）オキシベンゼンスルホネート、（６−デカンアミド−カプロイル）オキシベンゼンスルホネート及びこれらの組み合わせが挙げられ、参照により本明細書に組み込まれる。
【００６９】
漂白活性化剤の別の部類は、米国特許第４，９６６，７２３号（１９９０年１０月３０日発行）にＨｏｄｇｅらにより開示されているベンゾオキサジン型活性化剤を含み、参照により本明細書に組み込まれる。ベンゾオキサジン型の極めて好ましい活性化剤は次のものである：
【化４】
2013523998.tif 000005
【００７０】
好ましい漂白活性化剤の更に別の部類としては、アシルラクタム活性化剤、特に次式のアシルカプロラクタム及びアシルバレロラクタムが挙げられる：
【化５】
2013523998.tif 000006
式中、これらの化合物について使用されているように、Ｒ６は、Ｈ、又は、１〜約１２個の炭素原子を含有するアルキル、アリール、アルコキシアリール又はアルカリル基である。極めて好ましいラクタム活性化剤としては、ベンゾイルカプロラクタム、オクタノイルカプロラクタム、３，５，５−トリメチルヘキサノイルカプロラクタム、ノナノイルカプロラクタム、デカノイルカプロラクタム、ウンデセノイルカプロラクタム、ベンゾイルバレロラクタム、オクタノイルバレロラクタム、デカノイルバレロラクタム、ウンデセノイルバレロラクタム、ノナノイルバレロラクタム、３，５，５−トリメチルヘキサノイルバレロラクタム及びこれらの混合物が挙げられる。過ホウ酸ナトリウムの中に吸収された、ベンゾイルカプロラクタムなどのアシルカプロラクタムを開示している米国特許４，５４５，７８４号（Ｓａｎｄｅｒｓｏｎ、１９８５年１０月８日発行、参照により本明細書に組み込まれる）も参照されたい。極めて好ましい漂白活性化剤は、ノナノイルオキシベンゼンスルホネート（ＮＯＢＳ）及び／又はテトラアセチルエチレンジアミン（ＴＡＥＤ）である。
【００７１】
過酸化水素源に対して大量の漂白活性化剤が洗濯洗剤組成物中に存在することが極めて好ましい。好ましくは、洗濯洗剤組成物中に存在する、漂白活性化剤の、過酸化水素源に対する重量比は、少なくとも０．５：１、少なくとも０．６：１、少なくとも０．７：１、０．８：１、好ましくは少なくとも０．９：１、又は１．０：１．０、又は更には１．２：１又はそれ以上である。
【００７２】
漂白触媒。好ましくは、本組成物は、漂白触媒を含む。好ましい漂白触媒としては、オキサジリジニウム系漂白触媒、遷移金属漂白触媒、漂白酵素、及びこれらの任意の組み合わせが挙げられる。
【００７３】
オキサジリジニウム系漂白触媒。好ましくは、本組成物は、次式を有するオキサジリジニウム系漂白触媒を含む：
【化６】
2013523998.tif 000007
式中、Ｒ１は、Ｈ、３〜２４個の炭素を含有する分枝鎖アルキル基、及び１〜２４個の炭素を含有する直鎖アルキル基からなる群から選択され；好ましくは、Ｒ１は、６〜１８個の炭素を含む分枝鎖アルキル基、又は５〜１８個の炭素を含む直鎖アルキル基であり、より好ましくは、各Ｒ１は、２−プロピルヘプチル、２−ブチルオクチル、２−ペンチルノニル、２−ヘキシルデシル、ｎ−ヘキシル、ｎ−オクチル、ｎ−デシル、ｎ−ドデシル、ｎ−テトラデシル、ｎ−ヘキサデシル、ｎ−オクタデシル、イソ−ノニル、イソ−デシル、イソ−トリデシル、及びイソ−ペンタデシルからなる群から選択され；Ｒ２は、Ｈ、３〜１２個の炭素を含む分枝鎖アルキル基、及び１〜１２個の炭素を含む直鎖アルキル基からなる群から独立して選択され；好ましくは、Ｒ２は、Ｈ、及びメチル基から独立して選択され；ｎは、０〜１の整数である。
【００７４】
酵素。本組成物は、好ましくは、酵素を含む。好ましくは、本組成物は、比較的高いレベルの酵素を含む。
【００７５】
本組成物が、プロテアーゼ、アミラーゼ、リパーゼ、及び／又はセルラーゼから選択される少なくとも３成分酵素系を含むことが好ましい場合がある。
【００７６】
リパーゼ。好適なリパーゼとしては、細菌由来又は真菌由来のものが挙げられる。化学修飾された変異体又は改質されたタンパク質変異体が含まれる。有用なリパーゼの例としては、例えば、欧州特許第２５８  ０６８号及び同第３０５  ２１６号に記載されているＨ．ラヌギノーサ（Ｔ．ラノギノサス）、又は国際公開特許第９６／１３５８０号に記載されているＨ．イソレンスから得られるフミコラ（同義語は、サーモミセス）、例えばＰ．アルカリゲネス又はＰ．シュードアルカリゲネス（欧州特許第２１８  ２７２号）、Ｐ．セパシア（欧州特許３３１  ３７６号）、Ｐ．スタツェリ（英国特許第１，３７２，０３４号）、Ｐ．フルオレッセンス、シュードモナスｓｐ．菌株ＳＤ７０５（国際公開特許第９５／０６７２０号、及び同第９６／２７００２号）、Ｐ．ウィスコンシネシス（国際公開特許第９６／１２０１２号）から得られるシュードモナスリパーゼ、例えばＢ．ｓｕｂｔｉｌｉｓ（Ｄａｒｔｏｉｓら、（１９９３），Ｂｉｏｃｈｅｍｉｃａ  ｅｔ  Ｂｉｏｐｈｙｓｉｃａ  Ａｃｔａ，１１３１，２５３〜３６０）、Ｂ．ステアサーモフィラス（日本特許第６４／７４４９９２号）又はＢ．プミルス（国際公開特許第９１／１６４２２号）から得られるバチルスリパーゼ、などから得られるリパーゼが挙げられる。
【００７７】
リパーゼは、米国特許第６，９３９，７０２号、及び同第２００９／０２１７４６４号に説明されるものといった「第１サイクルのリパーゼ」であってもよい。一態様では、リパーゼは第１洗浄用リパーゼであり、好ましくはＴ２３１Ｒ及びＮ２３３Ｒ変異を含む、子嚢菌（Thermomyces lanuginosus）由来の野生型リパーゼの変異体である。野生型配列は、Ｓｗｉｓｓｐｒｏｔの受け入れ番号Ｓｗｉｓｓ−Ｐｒｏｔ  Ｏ５９９５２の、（Ｔｈｅｒｍｏｍｙｃｅｓ  ｌａｎｕｇｉｎｏｓｕｓ（Ｈｕｍｉｃｏｌａ  ｌａｎｕｇｉｎｏｓａ）由来の）２６９個のアミノ酸（アミノ酸２３〜２９１）である。好ましいリパーゼは、Ｎｏｖｏｚｙｍｅｓ，Ｂａｇｓｖａｅｒｄ，Ｄｅｎｍａｒｋによって、Ｌｉｐｅｘ（登録商標）、Ｌｉｐｏｌｅｘ（登録商標）、及びＬｉｐｏｃｌｅａｎ（登録商標）の商品名で販売されるものが挙げられよう。
【００７８】
好ましくは、本組成物は、野生型アミノ酸と＞９０％の同一性を有し、Ｔ２３１及び／又はＮ２３３、好ましくは、Ｔ２３１Ｒ及び／又はＮ２３３Ｒで置換（複数を含む）を含む、サーモミセス・ラヌギノーサリパーゼの変異体（本明細書において、「第１洗浄用リパーゼ」）を含む。
【００７９】
プロテアーゼ。好適なプロテアーゼとしては、サブチリシン（ＥＣ  ３．４．２１．６２）などの、中性又はアルカリ性の微生物セリンプロテアーゼを含めた、メタロプロテアーゼ及び／又はセリンプロテアーゼが挙げられる。好適なプロテアーゼとしては、動物、植物又は微生物由来のものが挙げられる。一態様では、そのような好適なプロテアーゼは、微生物起源のものとすることができる。好適なプロテアーゼとしては、前述の好適なプロテアーゼの化学修飾又は遺伝子組み換えの突然変異体が挙げられる。一態様では、好適なプロテアーゼは、アルカリ性微生物プロテアーゼ又は／及びトリプシン型プロテアーゼなどのセリンプロテアーゼであり得る。好適な中性又はアルカリ性プロテアーゼの例としては、以下のものが挙げられる：
（ａ）サブチリシン（ＥＣ  ３．４．２１．６２）（Ｂａｃｉｌｌｕｓ  ｌｅｎｔｕｓ、Ｂ．ａｌｋａｌｏｐｈｉｌｕｓ、Ｂ．ｓｕｂｔｉｌｉｓ、Ｂ．ａｍｙｌｏｌｉｑｕｅｆａｃｉｅｎｓ、Ｂａｃｉｌｌｕｓ  ｐｕｍｉｌｕｓ及びＢａｃｉｌｌｕｓ  ｇｉｂｓｏｎｉｉなどのＢａｃｉｌｌｕｓから誘導されたものを含む）（米国特許第６，３１２，９３６号、同第５，６７９，６３０号、同第４，７６０，０２５号、同第７，２６２，０４２号及び国際公開特許第０９／０２１８６７号に記載）。
【００８０】
（ｂ）トリプシン（例えば、ブタ又はウシ由来）などのトリプシン型又はキモトリプシン型プロテアーゼ（国際公開特許第８９／０６２７０号に記述されているフサリウムプロテアーゼ、及び同第０５／０５２１６１号及び同第０５／０５２１４６に記述されているＣｅｌｌｕｍｏｎａｓに由来するキモトリプシンプロテアーゼを含む）。
【００８１】
（ｃ）メタロプロテアーゼ（国際公開特許第０７／０４４９９３号に記述されているＢａｃｉｌｌｕｓ  ａｍｙｌｏｌｉｑｕｅｆａｃｉｅｎｓから誘導されたものを含む）。
【００８２】
好ましいプロテアーゼとしては、Ｂａｃｉｌｌｕｓ  ｇｉｂｓｏｎｉｉ又はＢａｃｉｌｌｕｓ  Ｌｅｎｔｕｓから誘導されるものが挙げられる。
【００８３】
好適な市販のプロテアーゼ酵素としては：Ｎｏｖｏｚｙｍｅｓ  Ａ／Ｓ（Ｄｅｎｍａｒｋ）より、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）の商品名で販売されているもの、Ｇｅｎｅｎｃｏｒ  Ｉｎｔｅｒｎａｔｉｏｎａｌより、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）及びＰｕｒａｆｅｃｔ  ＯＸＰ（登録商標）の商品名で販売されているもの、Ｓｏｌｖａｙ  Ｅｎｚｙｍｅｓより、Ｏｐｔｉｃｌｅａｎ（登録商標）及びＯｐｔｉｍａｓｅ（登録商標）の商品名で販売されているもの、Ｈｅｎｋｅｌ／Ｋｅｍｉｒａより入手可能なもの、すなわちＢＬＡＰ（以下の変異Ｓ９９Ｄ＋Ｓ１０１Ｒ＋Ｓ１０３Ａ＋Ｖ１０４Ｉ＋Ｇ１５９Ｓを有する、米国特許第５，３５２，６０４号の図２９で示される配列、以降ＢＬＡＰとして参照する）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）、並びに花王のＫＡＰ（変異Ａ２３０Ｖ＋Ｓ２５６Ｇ＋Ｓ２５９Ｎを有するＢａｃｉｌｌｕｓ  ａｌｋａｌｏｐｈｉｌｕｓのサブチリシン）が挙げられる。
【００８４】
好ましくは、本組成物は、ＢＬＡＰ、ＢＬＡＰ  Ｒ、ＢＬＡＰ  Ｘ、又はＢＬＡＰ  Ｆ４９から選択されるサブチリシンプロテアーゼを含む。
【００８５】
セルラーゼ。好適なセルラーゼとしては、細菌由来又は真菌由来のセルラーゼが挙げられる。化学修飾された変異体又は改質されたタンパク質変異体が含まれる。好適なセルラーゼとしては、バチルス属（genera Bacillus）、シュードモナス（Pseudomonas）属、フミコラ（Humicola）属、フサリウム（Fusarium）属、チエラビア（Thielavia）属、アクレモニウム（Acremonium）属由来のセルラーゼが挙げられ、例えば、フミコラ・インソレンス（Humicola insolens）、ミセリオフトラ・テルモフィラ（Myceliophthora thermophila）から作成される真菌セルラーゼ、及び米国特許第４，４３５，３０７号、同第５，６４８，２６３号、同第５，６９１，１７８号、同第５，７７６，７５７号及び国際公開特許第８９／０９２５９号に開示されているフザリウム・オキスポラム（Fusarium oxysporum）が挙げられる。
【００８６】
特に好適なセルラーゼは、色彩維持利点のある（colour care benefits）アルカリ性セルラーゼ又は中性セルラーゼである。かかるセルラーゼの例は、欧州特許第０  ４９５  ２５７号、同第０  ５３１  ３７２号、国際公開特許第９６／１１２６２号、同第９６／２９３９７号、同第９８／０８９４０号に記載されたセルラーゼである。他の例は、国際公開特許第９４／０７９９８号、欧州特許第０  ５３１  ３１５号、米国特許第５，４５７，０４６号、同第５，６８６，５９３号、同第５，７６３，２５４号、国際公開特許第９５／２４４７１号、同第９８／１２３０７号及び国際出願第ＰＣＴ／ＤＫ９８／００２９９号に記載されたもののようなセルラーゼ変異体である。
【００８７】
市販のセルラーゼとしては、ＣＥＬＬＵＺＹＭＥ（登録商標）及びＣＡＲＥＺＹＭＥ（登録商標）（Ｎｏｖｏｚｙｍｅｓ  Ａ／Ｓ）、ＣＬＡＺＩＮＡＳＥ（登録商標）及びＰＵＲＡＤＡＸ  ＨＡ（登録商標）（Ｇｅｎｅｎｃｏｒ  Ｉｎｔｅｒｎａｔｉｏｎａｌ  Ｉｎｃ．）、並びにＫＡＣ−５００（Ｂ）（登録商標）（花王）が挙げられる。
【００８８】
一態様において、セルラーゼは、米国特許第７，１４１，４０３）号の配列番号２のアミノ酸配列と少なくとも９０％、９４％、９７％、及び更には９９％の同一性を有する、バチルス属のメンバーに対し、内因性の細菌ポリペプチドを含むエンドーベーター１，４−グルカナーゼ活性（Ｅ．Ｃ．３．２．１．４）を呈する、微生物から誘導されたエンドグルカナーゼ、及びその混合物を含むことができる。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ））で販売されている。
【００８９】
好ましくは、本組成物は、１７ｋＤａ〜３０ｋＤａの分子量を有する、グリコシルヒドロラーゼのファミリー４５に属する洗浄セルラーゼ、例えば、Ｂｉｏｔｏｕｃｈ（登録商標）ＮＣＤ、ＤＣＣ、及びＤＣＬ（ＡＢ  Ｅｎｚｙｍｅｓ，Ｄａｒｍｓｔａｄｔ，Ｇｅｒｍａｎｙ）の商品名で販売されるエンドグルカナーゼを含む。
【００９０】
アミラーゼ。好ましくは、本組成物は、バチルスｓｐ．に内因性のＡＡ５６０アルファアミラーゼと６０％超の同一性を有するアミラーゼを含む。ＤＳＭ  １２６４９は、好ましくは、バチルスｓｐ．に内因性のＡＡ５６０アルファアミラーゼの変異体である。ＤＳＭ  １２６４９は、
（ａ）９、２６、１４９、１８２、１８６、２０２、２５７、２９５、２９９、３２３、３３９、及び３４５位のうちの１つ以上に変異、並びに、
（ｂ）所望により、１１８、１８３、１８４、１９５、３２０及び４５８（存在する場合は好ましくはＲ１１８Ｋ、Ｄ１８３＊、Ｇ１８４＊、Ｎ１９５Ｆ、Ｒ３２０Ｋ及び／又はＲ４５８Ｋを含む）の位置において１つ以上、好ましくは全て、置換及び／又は欠失を有する。
【００９１】
好適な市販のアミラーゼ酵素としては、Ｓｔａｉｎｚｙｍｅ（登録商標）Ｐｌｕｓ、Ｓｔａｉｎｚｙｍｅ（登録商標）、Ｎａｔａｌａｓｅ、Ｔｅｒｍａｍｙｌ（登録商標）、Ｔｅｒｍａｍｙｌ（登録商標）Ｕｌｔｒａ、Ｌｉｑｕｅｚｙｍｅ（登録商標）ＳＺ（全てＮｏｖｏｚｙｍｅｓ，Ｂａｇｓｖａｅｒｄ，Ｄｅｎｍａｒｋ）、及びＳｐｅｚｙｍｅ（登録商標）ＡＡ、又はＵｌｔｒａｐｈｌｏｗ（Ｇｅｎｅｎｃｏｒ，Ｐａｌｏ  Ａｌｔｏ，ＵＳＡ）が挙げられる。
【００９２】
コリンオキシダーゼ。好ましくは、本組成物は、Ｄ．Ｒｉｂｉｔｓｃｈら、Ａｐｐｌｉｅｄ  Ｍｉｃｒｏｂｉｏｌｏｇｙ  ａｎｄ  Ｂｉｏｔｅｃｈｎｏｌｏｇｙ，Ｖｏｌｕｍｅ  ８１，Ｎｕｍｂｅｒ  ５，ｐｐ８７５〜８８６，（２００９）に開示される技術を使用して生成される、アルスロバクタ・ニコチアナエに内因性の５９．１ｋＤａコリンオキシダーゼ酵素といった、コリンオキシダーゼ酵素を含む。
【００９３】
他の酵素。他の好適な酵素は、植物、細菌、又は真菌由来のものを含む、ペルオキシダーゼ／オキシダーゼである。化学修飾された変異体又は改質されたタンパク質変異体が含まれる。有用なペルオキシダーゼの例は、コプリナス（Coprinus）属のペルオキシダーゼ、例えば、国際公開特許第９３／２４６１８号、同第９５／１０６０２号、及び同第９８／１５２５７号に記載のようなＣ．サイネレウス（cinereus）及びその変異型のペルオキシダーゼである。
【００９４】
市販のペルオキシダーゼとしては、ＧＵＡＲＤＺＹＭＥ（登録商標）（Ｎｏｖｏｚｙｍｅｓ  Ａ／Ｓ）が挙げられる。
【００９５】
他の好ましい酵素としては、商品名Ｐｅｃｔａｗａｓｈ（登録商標）、Ｐｅｃｔａｗａｙ（登録商標）で販売されるペクチン酸リアーゼ；商品名Ｍａｎｎａｗａｙ（登録商標）で販売されるマンナナーゼ（全てＮｏｖｏｚｙｍｅｓ  Ａ／Ｓ，Ｂａｇｓｖａｅｒｄ，Ｄｅｎｍａｒｋから）、及びＰｕｒａｂｒｉｔｅ（登録商標）（Ｇｅｎｅｎｃｏｒ  Ｉｎｔｅｒｎａｔｉｏｎａｌ  Ｉｎｃ．，Ｐａｌｏ  Ａｌｔｏ，Ｃａｌｉｆｏｒｎｉａ）；クチナーゼ；ホスホリパーゼ；並びにこれらの任意の混合物が挙げられる。
【００９６】
相同性。２つのアミノ酸配列の間の関係は、「相同性」パラメーターによって説明される。本発明の目的上、２つのアミノ酸配列のアラインメントは、ＥＭＢＯＳＳパッケージ（ｈｔｔｐ：／／ｅｍｂｏｓｓ．ｏｒｇ）バージョン２．８．０由来のＮｅｅｄｌｅプログラムを使用することによって判定される。ニードルプログラムは、Ｎｅｅｄｌｅｍａｎ，Ｓ．Ｂ．及びＷｕｎｓｃｈ，Ｃ．Ｄ．（１９７０）Ｊ．Ｍｏｌ．Ｂｉｏｌ．、４８、４４３〜４５３に記載のグローバルアラインメントアルゴリズムを実行する。使用される置換マトリクスは、ＢＬＯＳＵＭ６２であり、ギャップ開始ペナルティは１０、ギャップ伸長ペナルティは０．５である。
【００９７】
酵素安定剤。本組成物は、酵素安定剤を含み得る。好適な酵素安定剤としては、プロピレングリコール又はグリセロールなどのポリオール、糖又は糖アルコール、乳酸、可逆的プロテアーゼ阻害剤、ホウ酸又はホウ酸誘導体、例えば、芳香族ホウ酸エステル、若しくは４−ホルミルフェニルボロン酸などのフェニルボロン酸誘導体が挙げられる。本組成物は、プロピレングリコール又はグリセロールなどのポリオール、糖又は糖アルコールから好ましくは選択される無ホウ酸酵素安定剤を含むことが好ましい場合がある。本組成物は、ホウ酸を実質的に含まないことが、更に好ましい場合がある。実質的に含まないとは、典型的に、「意図的に添加されたものを含まない」ことを意味する。
【００９８】
ポリマー。本組成物は、好ましくはポリマーを含む。好適なポリマーは、両親媒性アルコキシル化グリース洗浄ポリマー及びランダムグラフトコポリマーから選択される。かかるポリマーは、以下でより詳細に説明される。好適なポリマーとしては、ポリアミン、好ましくはポリエチレンイミン、最も好ましくはアルコキシル化ポリエチレンイミンが挙げられる。他の好適なポリマーとしては、ポリビニルピロリドンポリマー、ポリアミンＮ−酸化物ポリマー、Ｎ−ビニルピロリドン及びＮ−ビニルイミダゾールポリマーのコポリマーなどの移染阻害剤が挙げられる。マンガン、フタロシアニン、ペルオキシダーゼ、及びこれらの混合物などの非高分子移染阻害剤も使用されてもよい。
【００９９】
両親媒性アルコキシル化グリース洗浄ポリマー。本発明の両親媒性アルコキシル化グリース洗浄ポリマーは、布地及び表面からグリース粒子を除去するように、親水性と疎水性との特性が釣り合っている任意のアルコキシル化ポリマーを示す。本発明の両親媒性アルコキシル化グリース洗浄ポリマーの具体的な実施形態は、コア構造と、そのコア構造に結合した複数のアルコキシレート基と、を含む。
【０１００】
コア構造は、式（Ｉ）、（ＩＩ）、（ＩＩＩ）及び（ＩＶ）：
【化７】
2013523998.tif 000008
の繰り返し単位を縮合形態で含むポリアルキレンイミン構造（式中、＃は、各場合において、窒素原子と式（Ｉ）、（ＩＩ）、（ＩＩＩ）又は（ＩＶ）の２つの隣接する繰り返し単位のＡ１基の遊離結合部位との間の結合の半分を示し、＊は、各場合において、アルコキシレート基のうちの１つに対する結合の半分を示し、Ａ１は、直鎖又は分枝鎖Ｃ２〜Ｃ６−アルキレンから独立して選択され、ポリアルキレンイミン構造は、式（Ｉ）の１繰り返し単位、式（ＩＩ）のｘ繰り返し単位、式（ＩＩＩ）のｙ繰り返し単位及び式（ＩＶ）のｙ＋１繰り返し単位からなり、ｘ及びｙは、各場合において、０〜約１５０の範囲の値を有し、ポリアルキレンイミンコア構造の平均重量平均分子量Ｍｗは、約６０〜約１０，０００ｇ／ｍｏｌの範囲の値である）を含んでもよい。
【０１０１】
あるいは、コア構造は、式（Ｉ．ａ）及び／又は（Ｉ．ｂ）のＮ−（ヒドロキシアルキル）アミンから選択される少なくとも１つの化合物の縮合生成物のポリアルカノールアミン構造、
【化８】
2013523998.tif 000009
（式中、Ａは、Ｃ１〜Ｃ６−アルキレンから独立して選択され、Ｒ１、Ｒ１＊、Ｒ２、Ｒ２＊、Ｒ３、Ｒ３＊、Ｒ４、Ｒ４＊、Ｒ５及びＲ５＊は、水素、アルキル、シクロアルキル又はアリールから独立して選択され、後者３つの言及されたラジカルは所望により置換されてもよく、Ｒ６は、水素、アルキル、シクロアルキル又はアリールから選択され、後者３つの言及されたラジカルは所望により置換されてもよい）を含んでもよい。
【０１０２】
コア構造に結合した複数のアルキレンオキシ基は、式（Ｖ）のアルキレンオキシ単位
【化９】
2013523998.tif 000010
（式中、＊は、各場合において、式（Ｉ）、（ＩＩ）又は（ＩＶ）の繰り返し単位の窒素原子に対する結合の半分を示し、Ａ２は、各場合において、１，２−プロピレン、１，２−ブチレン及び１，２−イソブチレンから独立して選択され、Ａ３は、１，２−プロピレンであり、Ｒは、各場合において、水素及びＣ１〜Ｃ４−アルキルから独立して選択され、ｍは０〜約２の範囲の平均値を有し、ｎは約２０〜約５０の範囲の平均値を有し、ｐは約１０〜約５０の範囲の平均値を有する）から独立して選択される。
【０１０３】
両親媒性アルコキシル化グリース洗浄ポリマーの特定の実施形態は、内側ポリエチレンオキシドブロックと外側ポリプロピレンオキシドブロックとを有するアルコキシル化ポリアルキレンイミンから選択されてもよく、エトキシル化度及びプロポキシル化度は特定の制限値を上回りも下回りもしない。本発明によるアルコキシル化ポリアルキレンイミンの特定の実施形態は、ポリエチレンブロックの、ポリプロピレンブロックに対する比率（ｎ／ｐ）の最小値が約０．６であり、最大値が約１．５（ｘ＋２ｙ＋１）１／２である。約０．８〜約１．２（ｘ＋２ｙ＋１）１／２のｎ／ｐ比率を有するアルコキシル化ポリアルキレンイミンは、特に有益な特性を有することが判明している。
【０１０４】
本発明によるアルコキシル化ポリアルキレンイミンは、第一級、第二級及び第三級アミン窒素原子からなる主鎖を有し、これらの窒素原子はアルキレンラジカルＡにより互いに結合し、ランダムに配列される。ポリアルキレンイミン主鎖の主鎖及び側鎖を開始又は終止し、その残りの水素原子が引き続いてアルキレンオキシ単位により置換される第一級アミノ部分は、それぞれ式（Ｉ）又は（ＩＶ）の繰り返し単位と呼ばれる。残りの水素原子が引き続いてアルキレンオキシ単位により置換される第二級アミノ部分は、式（ＩＩ）の繰り返し単位と呼ばれる。主鎖及び側鎖に分岐する第三級アミノ部分は、式（ＩＩＩ）の繰り返し単位と呼ばれる。
【０１０５】
環化がポリアルキレンイミン主鎖の形成時に生じ得るので、環状アミノ部分が主鎖内に小程度まで存在することも可能である。環状アミノ部分を含有するこのようなポリアルキレンイミンは、無論、非環状第一級及び第二級アミノ部分からなるものと同様にアルコキシル化される。
【０１０６】
窒素原子及びＡ１基からなるポリアルキレンイミン主鎖は、約６０〜約１０，０００ｇ／モル、好ましくは約１００〜約８，０００ｇ／モル、より好ましくは約５００〜約６，０００ｇ／モルの平均分子量Ｍｗを有する。
【０１０７】
和（ｘ＋２ｙ＋１）は、１つの個々のポリアルキレンイミン主鎖内に存在するアルキレンイミン単位の総数に相当し、それゆえにポリアルキレンイミン主鎖の分子量に直接関わる。しかしながら、指定で与えられた値は、混合物中に存在する全てのポリアルキレンイミンの数平均に関わる。和（ｘ＋２ｙ＋２）は、１つの個々のポリアルキレンイミン主鎖内に存在するアミノ基の総数に相当する。
【０１０８】
アミノ窒素原子に接続するラジカルＡ１は、１，２−エチレン、１，２−プロピレン、１，２−ブチレン、１，２−イソブチレン、１，２−ペンタンジイル、１，２−ヘキサンジイル又はヘキサメチレンなどの、同一又は異なる、直鎖又は分枝鎖Ｃ２〜Ｃ６−アルキレンラジカルであり得る。好ましい分枝状アルキレンは、１，２−プロピレンである。好ましい直鎖アルキレンは、エチレン及びヘキサメチレンである。より好ましいアルキレンは、１，２−エチレンである。
【０１０９】
ポリアルキレンイミン主鎖の第一級及び第二級アミノ基の水素原子は、式（Ｖ）のアルキレンオキシ単位により置換される。
【化１０】
2013523998.tif 000011
【０１１０】
この式では、可変因子は、好ましくは、以下に与えられる意味のうちの１つを有する。
【０１１１】
Ａ２は、各場合において、１，２−プロピレン、１，２−ブチレン及び１，２−イソブチレンから選択され、好ましくはＡ２は、１，２−プロピレンである。Ａ３は１，２−プロピレンであり、Ｒは、各場合において、水素及びＣ１〜Ｃ４アルキル（メチル、エチル、ｎ−プロピル、イソプロピル、ｎ−ブチル、イソブチル及びｔｅｒｔ−ブチルなど）から選択され、好ましくはＲは水素である。添え字ｍは、各場合において、０〜約２の値を有し、好ましくはｍは０又はおよそ１であり、より好ましくはｍは０である。添え字ｎは、約２０〜約５０の範囲、好ましくは約２２〜約４０の範囲、より好ましくは約２４〜約３０の範囲の平均値を有する。添え字ｐは、約１０〜約５０の範囲、好ましくは約１１〜約４０の範囲、より好ましくは約１２〜約３０の範囲の平均値を有する。
【０１１２】
好ましくは、式（Ｖ）のアルキレンオキシ単位は、アルコキシレートブロックの非ランダム配列である。非ランダム配列により、［−Ａ２−Ｏ−］ｍが１番目に付加され（すなわち、式（Ｉ）、（ＩＩ）又は（ＩＩＩ）の繰り返し単位の窒素原子に対する結合に最も近接している）、［−ＣＨ２−ＣＨ２−Ｏ−］ｎが２番目に付加され、［−Ａ３−Ｏ−］ｐが３番目に付加されることが意味される。この配向は、内側ポリエチレンオキシドブロックと外側ポリプロピレンオキシドブロックとを有するアルコキシル化ポリアルキレンイミンを提供する。
【０１１３】
式（Ｖ）のこれらのアルキレンオキシ単位のかなりの部分は、エチレンオキシ単位−［ＣＨ２−ＣＨ２−Ｏ）］ｎ−及びプロピレンオキシ単位−［ＣＨ２−ＣＨ２（ＣＨ３）−Ｏ］ｐ−により形成される。アルキレンオキシ単位はまた追加的に、小さな比率のプロピレンオキシ又はブチレンオキシ単位−［Ａ２−Ｏ］ｍ−を有してもよく、すなわち、水素原子で飽和したポリアルキレンイミン主鎖は、存在するＮＨ−部分１モル当たりで最大約２モル、特に約０．５〜約１．５モル、特に約０．８〜約１．２モルの、少量のプロピレンオキシド又はブチレンオキシドと最初に反応させてもよい、すなわち、初期にアルコキシル化させてもよい。
【０１１４】
ポリアルキレンイミン主鎖のこの最初の修飾により、必要である場合には、アルコキシル化における反応混合物の粘性を低下させることができる。しかしながら、修飾は一般にアルコキシル化ポリアルキレンイミンの性能特性に影響せず、したがって、好ましい尺度を構成しない。
【０１１５】
両親媒性アルコキシル化グリース洗浄ポリマーは、本発明の洗剤及び洗浄組成物中に、組成物の約０．０５重量％〜約１０重量％の範囲の濃度で存在する。本組成物の実施形態は、約０．１重量％〜約５重量％を含んでもよい。より具体的には、本実施形態は、約０．２５〜約２．５％のグリース洗浄ポリマーを含んでもよい。
【０１１６】
ランダムグラフトコポリマー。ランダムグラフトコポリマーは、（ｉ）不飽和Ｃ１〜Ｃ６カルボン酸、エーテル、アルコール、アルデヒド、ケトン、エステル、糖単位、アルコキシ単位、無水マレイン酸、飽和ポリアルコール（例えばグリセロールなど）、及びこれらの混合物からなる群から選択されるモノマーを含む親水性主鎖、並びに、（ｉｉ）Ｃ４〜Ｃ２５アルキル基、ポリプロピレン、ポリブチレン、飽和Ｃ１〜Ｃ６モノカルボン酸のビニルエステル、アクリル酸又はメタクリル酸のＣ１〜Ｃ６アルキルエステル、及びこれらの混合物からなる群から選択される疎水性側鎖を含む。
【０１１７】
このポリマーは好ましくは、次の一般式を有する：
【化１１】
2013523998.tif 000012
式中、Ｘ、Ｙ及びＺは、Ｈ又はＣ１〜６アルキルから独立して選択される末端保護単位であり、各Ｒ１はメチル及びエチルから独立して選択され；各Ｒ２はＨ及びメチルから独立して選択され；各Ｒ３は独立してＣ１〜４アルキルであり、並びに各Ｒ４はピロリドン及びフェニル基から独立に選択される。ポリエチレンオキシド主鎖の重量平均分子量は典型的に、約１，０００ｇ／ｍｏｌ〜約１８，０００ｇ／ｍｏｌ、又は約３，０００ｇ／ｍｏｌ〜約１３，５００ｇ／ｍｏｌ、又は約４，０００ｇ／ｍｏｌ〜約９，０００ｇ／ｍｏｌである。ペンダント基がポリマーの少なくとも５０重量％、又は約５０重量％〜約９８重量％、又は約５５重量％〜約９５％、又は約６０重量％〜約９０重量％を構成するように、ｍ、ｎ、ｏ、ｐ及びｑの値が選択される。本明細書で有用なポリマーは、典型的には、約１，０００〜約１００，０００ｇ／モル、又は好ましくは約２，５００ｇ／モル〜約４５，０００ｇ／モル、又は約７，５００ｇ／モル〜約３３，８００ｇ／モル、又は約１０，０００ｇ／モル〜約２２，５００ｇ／モルの重量平均分子量を有する。
【０１１８】
汚れ放出ポリマー。好適な汚れ放出ポリマーとしては、ランダム又はブロック構成において、糖、ジカルボン酸、ポリオール及びこれらの組み合わせから選択される少なくとも１種のモノマー単位を含むポリマーが挙げられる。他の好適な汚れ放出ポリマーとしては、エチレンテレフタレート系ポリマー及びそのコポリマー、好ましくはランダム又はブロック構成におけるエチレンテレフタレート及びポリエチレンオキシドのコポリマーが挙げられる。
【０１１９】
再付着防止ポリマー。本組成物は、再付着防止ポリマー、好ましくは０．１重量％〜１０重量％の再付着防止ポリマーを含んでもよい。好適な再付着防止ポリマーとしては、アクリル酸、マレイン酸（又は無水マレイン酸）、フマル酸、イタコン酸、アコニット酸、メサコン酸、シトラコン酸、メチレンマロン酸及びこれらの任意の混合物から選択される少なくとも１種のモノマーを含むポリマーなどのカルボキシレートポリマーが挙げられる。好適なカルボキシレートポリマーの例。
【０１２０】
他の好適な再付着防止ポリマーとしては、好ましくは５００〜１００，０００Ｄａの範囲の分子量を有する、ポリエチレングリコールが挙げられる。
【０１２１】
カルボキシレートポリマー。本組成物が、本組成物の０重量％以上〜５重量％の高分子カルボキシレートを含むことが好ましいものであり得る。高分子カルボキシレートは、洗浄溶液中で遊離のカルシウムイオンを封鎖することができる。カルボキシレートポリマーは、汚れ分散剤としても作用することができ、改善された微粒子染み除去洗浄効果をもたらすことができる。
【０１２２】
本組成物は、好ましくは高分子カルボキシレートを含む。好ましい高分子カルボキシレートは、好ましくは１，０００ダルトン〜２０，０００ダルトンの重量平均分子量を有するポリアクリレートと、好ましくはマレイン酸モノマーの、アクリル酸モノマーに対するモル比１：１〜１：１０かつ１０，０００ダルトン〜２００，０００ダルトンの重量平均分子量を有し、又は好ましくはマレイン酸モノマーの、アクリル酸モノマーに対するモル比０．３：１〜３：１かつ１，０００ダルトン〜５０，０００ダルトンの重量平均分子量を有するマレイン酸及びアクリル酸のコポリマーとを含む。
【０１２３】
付着補助剤。本組成物は付着補助剤を含んでもよい。好適な付着補助剤は、多糖であり、好ましくはセルロース系ポリマーである。他の好適な付着補助剤としては、ポリジアリルジメチルアンモニウムハロゲン化物（ＤＡＤＭＡＣ）、並びに、ランダム又はブロック構成での、ビニルピロリドン、アクリルアミド、イミダゾール、イミダゾリニウムハロゲン化物及びこれらの混合物との、ＤＡＤＭＡＣのコポリマーが挙げられる。他の好適な付着補助剤としては、カチオン性グアーガム、カチオン性ヒドロキシエチルセルロース、カチオンデンプン、カチオン性ポリアシルアミドなどのカチオン性セルロース、及びこれらの混合物が挙げられる。
【０１２４】
色調剤。本組成物は、色調染料を含んでもよい。色調染料は、布地の白さの認識を改善するために、洗浄液から布地上に付着するように配合される。好ましくは、色調剤染料は、青又は紫である。シェーディング染料のピーク吸収波長が５５０ｎｍ〜６５０ｎｍ、好ましくは５７０ｎｍ〜６３０ｎｍであることが好ましい。単一染料がポリエステルに対して５５０ｎｍ〜６５０ｎｍ、好ましくは５７０ｎｍ〜６３０ｎｍのピーク吸収波長を有するように、染料の組み合わせは、一緒になって、ヒトの目への視覚的効果を有する。これは、例えば、赤と緑−青の染料とを混合して、青又は紫の色合いを生じさせることにより提供され得る。
【０１２５】
染料は、界面活性剤を含有する水性媒体に可溶性である有色有機分子である。染料は、「Ｉｎｄｕｓｔｒｉａｌ  Ｄｙｅｓ」、Ｗｉｌｅｙ  ＶＣＨ  ２００２，Ｋ．Ｈｕｎｇｅｒ（編）に記載されている。染料は、英国染料染色学会（Society of Dyers and Colourists）及び米国繊維化学技術・染色技術協会（the American Association of Textile Chemists and Colorists）により公開されているＣｏｌｏｒ  Ｉｎｄｅｘ  Ｉｎｔｅｒｎａｔｉｏｎａｌに列挙されている。染料は、好ましくは、塩基性、酸性、疎水性、直接及び高分子染料、並びに染料結合体の部類から選択される。洗剤配合の当業者であれば、これらの公開データから好適な色調染料を選択することができる。高分子色調染料は、例えば、Ｍｉｌｌｉｋｅｎ（Ｓｐａｒｔａｎｂｕｒｇ，Ｓｏｕｔｈ  Ｃａｒｏｌｉｎａ，ＵＳＡ）から市販されている。
【０１２６】
好適な染料の例は、ダイレクトバイオレット７、ダイレクトバイオレット９、ダイレクトバイオレット１１、ダイレクトバイオレット２６、ダイレクトバイオレット３１、ダイレクトバイオレット３５、ダイレクトバイオレット４０、ダイレクトバイオレット４１、ダイレクトバイオレット５１、ダイレクトバイオレット６６、ダイレクトバイオレット９９、アシッドバイオレット５０、アシッドブルー９、アシッドバイオレット１７、アシッドブラック１、アシッドレッド１７、アシッドブルー２９、ソルベントバイオレット１３、ディスパースバイオレット２７、ディスパースバイオレット２６、ディスパースバイオレット２８、ディスパースバイオレット６３及びディスパースバイオレット７７、ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８；ベーシックブルー３、ベーシックブルー７５、ベーシックブルー９５、ベーシックブルー１２２、ベーシックブルー１２４、ベーシックブルー１４１、チアゾリウム染料、リアクティブブルー１９、リアクティブブルー１６３、リアクティブブルー１８２、リアクティブブルー９６、Ｌｉｑｕｉｔｉｎｔ（登録商標）Ｖｉｏｌｅｔ  ＣＴ（Ｍｉｌｌｉｋｅｎ（Ｓｐａｒｔａｎｂｕｒｇ，ＵＳＡ））及びアゾ−ＣＭ−セルロース（Ｍｅｇａｚｙｍｅ（Ｂｒａｙ、アイルランド共和国）である。
【０１２７】
香料マイクロカプセル。本組成物は、マイクロカプセル形態の香料を含んでもよい。好ましくは、本組成物は、香料マイクロカプセルを含む。好ましい香料マイクロカプセルは、メラミンホルムアルデヒド、尿素ホルムアルデヒド、尿素又はこれらの混合物を含む。
【０１２８】
構造剤。本組成物は、ジグリセリド及びトリグリセリド、エチレングリコールジステアレート微結晶セルロース、セルロース系物質、マイクロファイバーセルロース、バイオポリマー、キサンタンガム、ジェランガム及びこれらの混合物からなる群から選択される構造剤を含んでもよい。好適な構造剤としては、ヒマシ油及び硬化ヒマシ油などのその誘導体が挙げられる。
【０１２９】
溶媒。本組成物は、好ましくは溶媒を含む。好ましい溶媒としては、アルコール及び／又はグリコール、好ましくはメタノール、エタノール及び／又はプロピレングリコールが挙げられる。好ましくは、本組成物は、酵素安定性改善のために、メタノール及びエタノールを全く又は最小限の量しか含まず、代わりに、比較的多量のプロピレングリコールを含む。好ましくは、本組成物は、プロピレングリコールを含む。
【０１３０】
好適な溶媒としてはＣ４〜Ｃ１４のエーテル及びジエーテル、グリコール、アルコキシル化グリコール、Ｃ６〜Ｃ１６グリコールエーテル、アルコキシル化芳香族アルコール、芳香族アルコール、脂肪族分枝状アルコール、アルコキシル化脂肪族分枝状アルコール、アルコキシル化直鎖Ｃ１〜Ｃ５アルコール、直鎖Ｃ１〜Ｃ５アルコール、アミン、Ｃ８〜Ｃ１４アルキル及びシクロアルキル炭化水素及びハロ炭化水素、並びにこれらの混合物が挙げられる。
【０１３１】
好ましい溶媒は、メトキシオクタデカノール、２−（２−エトキシエトキシ）エタノール、ベンジルアルコール、２−エチルブタノール及び／又は２−メチルブタノール、１−メチルプロポキシエタノール及び／又は２−メチルブトキシエタノール、直鎖Ｃ１〜Ｃ５アルコール（メタノール、エタノール、プロパノール、ブチルジグリコールエーテル（ＢＤＧＥ）、ブチルトリグリコールエーテル、第三級アミルアルコール、グリセロール、イソプロパノールなど）、並びにこれらの混合物から選択される。本明細書で使用することができる特に好ましい溶媒は、ブトキシプロポキシプロパノール、ブチルジグリコールエーテル、ベンジルアルコール、ブトキシプロパノール、プロピレングリコール、グリセロール、エタノール、メタノール、イソプロパノール、及びこれらの混合物である。他の好適な溶媒には、プロピレングリコール及びジエチレングリコール、並びにこれらの混合物が挙げられる。
【０１３２】
他の洗剤成分。本組成物は、典型的には、他の洗剤成分を含む。好適な洗剤成分としては、以下のものが挙げられる：遷移金属触媒；アミラーゼ、カルボヒドラーゼ、セルラーゼ、ラッカーゼ、リパーゼ、漂白酵素（オキシダーゼ及びペルオキシダーゼなど）、プロテアーゼ、ペクタートリアーゼ及びマンナナーゼなどの酵素；シリコーン系起泡抑制剤などの起泡抑制系；増白剤；色調剤；光漂白剤；粘土、シリコーン及び／又は第四級アンモニウム化合物などの布地柔軟化剤；ポリエチレンオキシドなどの凝集剤；ポリビニルピロリドン、ポリ４−ビニルピリジンＮ−酸化物及び／又はビニルピロリドン及びビニルイミダゾールのコポリマーなどの移染阻害剤；イミダゾールとエピクロロヒドリンとの縮合により作製されるオリゴマーなどの布地統合成分；アルコキシル化ポリアミン及びエトキシル化エチレンイミンポリマーなどの、汚れ分散剤及び汚れ再付着防止補助剤；ポリエステルなどの再付着防止成分；香料マイクロカプセルなどの香料；石鹸環（soap rings）；審美的粒子；染料；硫酸ナトリウムなどの充填剤（ただし、本組成物が充填剤を実質的に含まないことが好ましい）；１．６Ｒ及び２．０Ｒケイ酸ナトリウム又はメタケイ酸ナトリウムといった、ケイ酸ナトリウムなどのケイ酸塩；ジカルボン酸及びジオールのコポリエステル；メチルセルロース、カルボキシメチルセルロース、ヒドロキシエトキシセルロース又は他のアルキル若しくはアルキルアルコキシセルロースなどのセルロース系ポリマー；並びにこれらの任意の組み合わせ。
【０１３３】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【０１３４】
別途指定されない限り、比及びパーセンテージは、重量による。
【０１３５】
以下の実施例は、実例としてのみ提供されるのであって、本発明の範囲を限定すると解釈されるべきではない。
【実施例】
【０１３６】
実施例１本発明に従うコロイド状洗剤組成物の調製：
約１．３（高さ対直径）のアスペクト比を有する１０リットルバッチタンクを、インペラミキサに装着し、以下を充填する：
１．）３３２６ｇのＭＥＡ：Ｃ１２〜１５  ＥＯ３ＳＯ３Ｈ、１１１グラムのエタノール、及び２２０グラムのプロピレングリコールからなる、３６５７グラムの事前中和された硫酸洗浄性界面活性剤シロップ
２．）５３４グラムのＭＥＡ：Ｃ１６〜１７高溶解性アルキルサルフェート、２０グラムのエタノール、３９グラムのプロピレングリコールからなる、５９３グラムの事前中和された硫酸洗浄性界面活性剤シロップ
３．）２６９グラムのエタノール、及び５３５グラムのプロピレングリコールからなる、８０４グラムの有機溶媒
４．）３３９グラムの中和剤（モノ−エタノールアミン）
５．）３２重量％のＣ１２１４ジメチルアミンＮ−オキシド、及び６８重量％の水からなる、４８７グラムのアミンオキシド
この時点で撹拌を開始し、添加を継続する
６．）ＢＡＳＦによって供給される４３３グラムのエトキシル化ポリアミン分散剤ＰＥ２０ポリマー（８０重量％の活性物質、２０重量％の水）
７．）３４６グラムの両親媒性アルコキシル化グリース洗浄ポリマー（１００％活性物質）
次の添加工程の間に必要な場合、冷却を適用して、３７℃未満の最大温度を維持する
８．）２６５グラムのＣ１２〜１８脂肪酸
９．）１１５３グラムのＣ１１．８  ＨＬＡＳ
継続的な撹拌及び以下の添加によって、バニラを最終生成物に変換する：
１０．）１３４グラムの香料
１１．）７．８グラムの泡抑制ポリマー
１２．）８４グラムのＤＴＰＡ  １００％活性固体粉末
１３．）８４グラムのＴｉｒｏｎ  １０％活性粉末
１４．）８．７グラムのモノリシックなカプセル化されたＶＤＤ（７．８グラムのポリマーマトリックス中の０．８７グラムの活性発色団）
１５．）１４０グラムのモノリシックなカプセル化されたプロテアーゼ酵素（１２６グラムのポリマーマトリックス中の１４グラムのタンパク質）
１６．）３０グラムのモノリシックなカプセル化されたナタラーゼ（Natalase）酵素（１２６グラムのポリマーマトリックス中の３グラムのタンパク質）
１７．）４２５グラムのゲル化剤プレミックス（１５グラムのゲラン活性物質、３６０グラムのｐ−グリコール、５０グラムのＨＬＡＳからなる）。
【０１３７】
以下のコロイド状洗剤組成物を得る：
【表１】
2013523998.tif 000013
【０１３８】
コロイド状洗剤組成物は、良好なレオロジー的プロファイルを呈示し、非常に安定している。
【０１３９】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【国際調査報告】
2013523998.tif 000014
2013523998.tif 000015